(57)【要約】【課題】ランプの異常点灯を確実に検出してランプを消灯できる画像読取装置を提供すること目的とする。【解決手段】ランプを用いて照明した原稿の画像面からの反射光をイメージセンサに導き、前記原稿の画像面に記録された画像を読み取る画像読取装置において、前記ランプの点灯を制御する第１の制御手段と、前記ランプが前記第１の制御手段により正常に制御されていることを監視する第２の制御手段を備え、前記第２の制御手段は、前記ランプが正常に制御されていないことを検出すると、前記ランプに供給されている電源を遮断するようにした。【選択図】        図１
2007104207.tif 000002
【特許請求の範囲】
【請求項１】
ランプを用いて照明した原稿の画像面からの反射光をイメージセンサに導き、前記原稿の画像面に記録された画像を読み取る画像読取装置において、
前記ランプの点灯を制御する第１の制御手段と、
前記ランプが前記第１の制御手段により正常に制御されていることを監視する第２の制御手段を備え、
前記第２の制御手段は、前記ランプが正常に制御されていないことを検出すると、前記ランプに供給されている電源を遮断するようにしたことを特徴とする画像読取装置。
【請求項２】
ランプを用いて照明した原稿の画像面からの反射光をイメージセンサに導き、前記原稿の画像面に記録された画像を読み取る画像読取装置において、
前記ランプの点灯を制御する第１の制御手段と、
前記ランプの温度を検出する温度検出手段と、
前記温度検出手段の検出温度が所定の範囲内に制御されていることを監視する第２の制御手段を備え、
前記第２の制御手段は、前記検出温度が前記範囲を超えたことを検出すると、前記ランプに供給されている電源を遮断するようにしたことを特徴とする画像読取装置。
【請求項３】
前記第１の制御手段と、前記第２の制御手段は、おのおの別系統の電源から動作電源が供給されていることを特徴とする請求項２記載の画像読取装置。
【請求項４】
ランプを用いて照明した原稿の画像面からの反射光をイメージセンサに導き、前記原稿の画像面に記録された画像を読み取る画像読取装置において、
前記ランプの点灯を制御する第１の制御手段と、
前記ランプの温度を検出する温度検出手段と、
前記温度検出手段の検出温度が所定の範囲内に制御されていることを監視する第２の制御手段と、
前記温度検出手段の検出温度が所定の範囲から逸脱したことを判定する温度判定手段を備え、
前記第２の制御手段が前記検出温度が前記範囲内にあることを検出しており、かつ、前記温度判定手段が検出温度の逸脱を判定していない場合に、前記ランプへの電源供給を継続する一方、前記第２の制御手段が前記検出温度が前記範囲を超えることを検出するか、あるいは、前記温度判定手段が逸脱を判定した場合に、前記ランプに供給されている電源を遮断するようにしたことを特徴とする画像読取装置。
【請求項５】
前記第１の制御手段には第１の電源が供給され、前記第２の制御手段および前記温度判定手段には第２の電源が供給されていることを特徴とする請求項４記載の画像読取装置。
【発明の詳細な説明】
【技術分野】
【０００１】
本発明は、ランプを用いて照明した原稿の画像面からの反射光をイメージセンサに導き、前記原稿の画像面に記録された画像を読み取る画像読取装置に関する。
【背景技術】
【０００２】
従来、画像読取装置では、原稿の画像面を照明するランプとして、非常に高出力なハロゲンランプが使用されていたが、近年では、消費電力がより小さく発熱量もより小さいキセノンランプが使われるようになってきている。
【０００３】
また、ハロゲンランプでは、ランプが意に反して点灯し続ける「異常点灯」の状態に陥った場合、最終的なプロテクト手段として以下のような手段で発煙、発火に至るのを防止していた。
【０００４】
（１）ランプの電源ラインに設けた温度ヒューズをランプ近傍に設置し、ランプがある温度以上になると温度ヒューズが溶断してランプへの電源供給を遮断する。
（２）ランプの電源ラインに設けたサーモスタットをランプ近傍に設置し、ランプがある温度以上になるとサーモスタットが非導通状態になってランプへの電源供給を遮断する。
【０００５】
ところが、画像読取装置で使用されるキセノンランプは、発熱量が少なかった頃は異常点灯時でも、発煙、発火に至るよりも低い温度で熱飽和していたが、画像読取装置の読み取り速度が速くなるに連れて、より高光量であること（＝高出力化）が要求され、これに伴い消費電力（＝発熱量）も大きくなりつつある。
【０００６】
キセノンランプは、ガラス管、ガラス管をキャリッジに固定するためのホルダ、および、ガラス管を包んでいるチューブなどの部品から構成されているが、仮に異常点灯時の温度がそれらの定格温度を超えるような場合は、部品や、周辺部品が発煙、あるいは、発火したり、異臭を発生するなどに至る可能性がある。
【０００７】
よって、発熱量が大きくなったランプでは何らかの発煙、発火防止手段を設けないと危険である。ランプへの供給電圧が低いハロゲンランプでは上記（１），（２）のような対応が取れたが、キセノンランプでは同じ対応が取れない。
【０００８】
なぜなら、キセノンランプへの供給電圧は大きく（キロボルトオーダーである）、この印加電圧条件にて動作保証された温度ヒューズ、サーモスタットといった部品が存在しないためである。
【０００９】
そこで、例えば、異常点灯時のランプが低い温度で平衡するようにファンで冷却することが考えられるが、異常時にはランプ（が設けられたキャリッジ）が画像読取装置のどの場所にいるか保証がないため、ファンは画像読取装置の隅から隅まで冷却出来るような強力なものを使用しなければならない。ファンの風量を増すと騒音も大きくなるので、使用時の騒音レベルを考えると実際にはファンによってランプ温度を低く平衡させることは難しい。
【００１０】
このような画像読取装置の安全対策としては、特許文献１，２，３に記載したようなものがある。
【００１１】
特許文献１，２では、ランプ消灯して基準白板を読み取った時のイメージセンサ出力の大きさが基準値以上の場合には点灯している（異常点灯）と認識する、といった内容である。
【００１２】
また、特許文献３では、温度によってファン回転数を制御し、更に高温ではランプオフするように制御している。
【特許文献１】特開平１１−２５２３１６号公報
【特許文献２】特開平２００１−３１３７８５号公報
【特許文献３】特開平２００３−２４８２６９号公報
【発明の開示】
【発明が解決しようとする課題】
【００１３】
しかしながら、特許文献１，２は、マイクロコンピュータ装置等の制御手段が正常に動作していることが前提条件になる。すなわち、キャリッジを正常に駆動して基準白板位置に移動することができ、かつ、イメージセンサ出力の大きさを認識することが可能な場合にのみ異常点灯を防止することができる。
【００１４】
また、特許文献３では、マイクロコンピュータ装置が正常に動作していることが前提条件になっている。
【００１５】
このように、従来の対策では、マイクロコンピュータ装置等の制御手段が暴走した場合は全く効力を発揮せず、異常点灯時の発煙や、発火が発生する可能性があるという不具合を生じていた。
【００１６】
本発明は、かかる実情に鑑みてなされたものであり、ランプの異常点灯を確実に検出してランプを消灯できる画像読取装置を提供すること目的とする。
【課題を解決するための手段】
【００１７】
本発明は、ランプを用いて照明した原稿の画像面からの反射光をイメージセンサに導き、前記原稿の画像面に記録された画像を読み取る画像読取装置において、前記ランプの点灯を制御する第１の制御手段と、前記ランプが前記第１の制御手段により正常に制御されていることを監視する第２の制御手段を備え、前記第２の制御手段は、前記ランプが正常に制御されていないことを検出すると、前記ランプに供給されている電源を遮断するようにしたものである。
【００１８】
また、ランプを用いて照明した原稿の画像面からの反射光をイメージセンサに導き、前記原稿の画像面に記録された画像を読み取る画像読取装置において、前記ランプの点灯を制御する第１の制御手段と、前記ランプの温度を検出する温度検出手段と、前記温度検出手段の検出温度が所定の範囲内に制御されていることを監視する第２の制御手段を備え、前記第２の制御手段は、前記検出温度が前記範囲を超えたことを検出すると、前記ランプに供給されている電源を遮断するようにしたものである。また、前記第１の制御手段と、前記第２の制御手段は、おのおの別系統の電源から動作電源が供給されるものである。
【００１９】
また、ランプを用いて照明した原稿の画像面からの反射光をイメージセンサに導き、前記原稿の画像面に記録された画像を読み取る画像読取装置において、前記ランプの点灯を制御する第１の制御手段と、前記ランプの温度を検出する温度検出手段と、前記温度検出手段の検出温度が所定の範囲内に制御されていることを監視する第２の制御手段と、前記温度検出手段の検出温度が所定の範囲から逸脱したことを判定する温度判定手段を備え、前記第２の制御手段が前記検出温度が前記範囲内にあることを検出しており、かつ、前記温度判定手段が検出温度の逸脱を判定していない場合に、前記ランプへの電源供給を継続する一方、前記第２の制御手段が前記検出温度が前記範囲を超えることを検出するか、あるいは、前記温度判定手段が逸脱を判定した場合に、前記ランプに供給されている電源を遮断するようにしたものである。また、前記第１の制御手段には第１の電源が供給され、前記第２の制御手段および前記温度判定手段には第２の電源が供給されるものである。
【発明の効果】
【００２０】
したがって、本発明によれば、２つの制御手段を設け、ランプを制御している制御手段が暴走しても、もう一方の制御手段により異常点灯を防止することができるようにしているので、画像読取装置の安全性を向上することができるという効果を得る。
【００２１】
また、２つの制御手段の電源を別にしているので、２つの制御手段が同時に暴走するような事態を極力回避することができるという効果も得る。
【発明を実施するための最良の形態】
【００２２】
以下、添付図面を参照しながら、本発明の実施の形態を詳細に説明する。
【００２３】
図１は、本発明の一実施例にかかる画像読取装置の概略構成例を示している。
【００２４】
同図において、筺体１の上面には、コンタクトガラス２が設けられており、このコンタクトガラス２の上に、原稿３が載置される。このとき、原稿３の読取面（画像面）が、コンタクトガラス２の表面に接触する態様に、原稿３の向きが設定される。また、原稿３の上方には、原稿３をコンタクトガラス２の表面に密着させるための圧板（図示略）が配置される。
【００２５】
コンタクトガラス２の原稿３が載置される面の左側には、基準の白画像を形成する白板部材４が設けられ、この白板部材４の近傍に、温度検出のためのサーミスタ５が配設されている。
【００２６】
筺体１の内部で、コンタクトガラス２の下側には、ランプ６，７が配設されている。このランプ６，７は、コンタクトガラス２の画像読取位置を線状に照明するものであり、そのコンタクトガラス２の画像読取位置からの反射光は、鏡８，９，１０を順次反射して、レンズ１１に導かれ、レンズ１２により収束されて、ラインイメージセンサ１２に照射される。
【００２７】
また、ランプ６，７と鏡８は、所定速度で右方向へ走行する第１走行体１３に搭載され、また、鏡９，１０は、第１走行体１３の速度の１／２の速度で、右方向へ走行する第２走行体１４に搭載される。したがって、コンタクトガラス２に設定される画像読取位置は、右方向へ移動する。
【００２８】
ラインイメージセンサ１２は、１ライン単位に画像読取位置上の画像を光電変換し、１ライン分の読取画像データを形成するものであり、その出力は、処理装置１５へ出力される。
【００２９】
また、モータ１６は、第１走行体１３および第２走行体１４を駆動するためのものであり、ファン１７は、筺体１の内部にエアフローを形成するとともに、吸気口（図示略）より外気を吸入して排気口（図示略）より排気し、筺体１に収容されている各部品等を冷却するためのものである。
【００３０】
図２は、本発明の一実施例にかかる画像読取装置の制御系の構成の一例を示している。
【００３１】
同図において、ＣＰＵ（中央処理装置）２１は、例えば、マイクロコンピュータ装置から構成されるものであり、ランプ６，７の点灯を制御するとともに、画像読取装置の全体制御などを行うものである。ＣＰＵ２１は、ランプ６，７を点灯する際には、ランプ制御部２２へランプイネーブル信号を出力する。ランプ制御部２２は、ランプイネーブル信号がイネーブル状態になっているときには、点灯信号をゲート回路２３を介してランプ安定器２４を出力する。ランプ安定器２４は、点灯信号がイネーブル状態になっているときには、スイッチ２５を介して供給される電源（２４（Ｖ））をランプ６，７に供給して、ランプ６，７を点灯駆動する。
【００３２】
ＣＰＵ２６は、例えば、マイクロコンピュータ装置から構成されるものであり、モータ１６、ファン１７を駆動するとともに、スイッチ２５のオンオフ制御を行う。また、サーミスタ５が検出した温度に基づいた温度検出動作（後述）を行う温度検出部２７からの温度検出信号を入力し、その温度検出信号に基づいて、スイッチ２５のオンオフ制御を行う。また、モータ駆動部２８は、ＣＰＵ２６からの制御信号に従ってモータ１６を駆動するものであり、ファン制御部２９は、ＣＰＵ２６からの制御信号に従ってファン１７を駆動するものである。
【００３３】
ＣＰＵ２６から出力されるスイッチ２５の制御信号は、スイッチ２５の制御入力端に加えられるとともに、オア回路３０の一方の入力端に加えられ、このオア回路３０の他方の入力端には、スイッチ２５の出力信号が、インバータ３１で反転された状態で加えられている。そして、このオア回路３０の出力は、ゲート回路２３の負論理の制御入力端に加えられている。したがって、スイッチ２５の制御信号がイネーブル状態で、かつ、スイッチ２５がイネーブル動作している状態で、ゲート回路２３がオン動作し、ランプ制御部２２の出力信号を通過させてランプ安定器２４を供給する。
【００３４】
また、リセット回路３２は、一定時間間隔でＣＰＵ２６をリセットするリセット信号を出力するものであり、ＣＰＵ２６に対して、いわゆるウォッチドッグタイマの機能を有する。ＣＰＵ２６は、リセット回路３２のリセット信号の出力周期よりも短い周期で、リセット回路３２のリセット信号の出力動作を停止させており、このＣＰＵ２６の動作が暴走した場合などで、異常になった場合には、リセット回路３２のリセット動作をＣＰＵ２６は停止することができなくなり、その結果、暴走したＣＰＵ２６がリセットされ、暴走したＣＰＵ２６による異常な制御が行われるような事態を回避することができる。
【００３５】
また、ＣＰＵ２１とＣＰＵ２６は、異なる駆動電源Ｖｃｃ１，Ｖｃｃ２がそれぞれ供給されており、駆動電源の異常が原因となってＣＰＵ２１とＣＰＵ２６が同時に異常な状態になるような事態を回避できるようにしている。
【００３６】
図３は、温度検出部２７、温度比較部、および、スイッチ２５の構成の具体例を示している。
【００３７】
温度検出部２７は、サーミスタ５、抵抗器およびコンデンサを用いて、温度検出信号Ｓ１（図６（ａ）参照）を形成するものである。サーミスタ５は、例えば、図４に示すような温度−抵抗値特性を備えており、したがって、サーミスタ５が検出している温度が高くなるほど、サーミスタ５の抵抗値が小さくなり、温度検出信号Ｓ１の値が小さくなる。そこで、例えば、図５に示すように、温度検出信号Ｓ１のスレッシュ値を設定し、このスレッシュ値よりも温度検出信号Ｓ１の値が小さくなった場合、設定した温度よりも高くなっていると判定することができる。このような温度判定・温度比較動作は、ＣＰＵ２６が実行する。
【００３８】
ＣＰＵ２６は、温度検出信号Ｓ１の値がスレッシュ値よりも大きい場合、信号Ｓ３（図６（ｃ）参照）をランプ安定器電源通電状態（オン状態）に設定し、温度検出信号Ｓ１の値がスレッシュ値よりも大きい場合、信号Ｓ３をランプ安定器電源遮断状態（オフ状態）に設定する。この信号Ｓ３は、インバータ３４により反転されて、スイッチ２５に信号Ｓ４（図６（ｄ）参照）として入力される。
【００３９】
スイッチ２５では、信号Ｓ４がオフ状態になっている場合には、ランプ安定器２４へ供給する電源電圧（図６（ｅ）参照）を０（Ｖ）に設定し、信号Ｓ５がオン状態になっている場合には、ランプ安定器２４へ供給する電源電圧を２４（Ｖ）に設定する。
【００４０】
また、スイッチ２５の入力信号Ｓ４は、オア回路３５を介して、ゲート回路３６，３７の負論理の制御入力端に加えられている。
【００４１】
ＣＰＵ２１は、タイミング生成部３８を制御して、ランプ安定器２４の制御端子へ供給するオンオフ制御信号およびクロック信号を生成しており、生成されたオンオフ制御信号は、ゲート回路３６を介してランプ安定器２４の制御端子へ供給され、また、生成されたクロック信号はゲート回路３７を介してランプ安定器２４の制御端子へ供給される。
【００４２】
ここで、オア回路３５の他方の入力端には、ランプ安定器２４を供給される電源の分圧信号が加えられており、電源が供給されている場合に、論理Ｈ状態となる。
【００４３】
したがって、信号Ｓ６は、ランプ安定器２４へ供給される電源がオン状態になっており、かつ、信号Ｓ４がイネーブル状態になっている場合に、イネーブル状態となる。信号Ｓ６がイネーブル状態になっている期間、ゲート回路３６，３７がオン動作し、ランプ安定器２４の制御端子にオンオフ制御信号およびクロック信号は、ランプ安定器２４の制御端子へ供給される。
【００４４】
図７は、ＣＰＵ２６の処理の一例を示している。
【００４５】
まず、リセット回路３２によりリセットされると（処理１０１）、リセット回路３２のリセット動作を解除し（処理１０２）、信号Ｓ１を入力して（温度検出；処理１０３）、信号Ｓ１の値が所定値よりも大きいかどうかを調べる（判断１０４）。判断１０４の結果がＹＥＳになるときには、信号Ｓ３をイネーブル状態に設定し処理１０３へ戻る。
【００４６】
判断１０４の結果がＮＯになるときには、信号Ｓ３をディセーブル状態に設定し、ランプ安定器２４に供給する電源をオフし、オンオフ制御信号およびクロック信号の出力を停止する（処理１０５）。
【００４７】
このようにして、本実施例では、ランプ６，７の点灯を制御するＣＰＵ２１と、温度検出によりランプ６，７の異常動作を検出して、ランプ６，７を消灯するＣＰＵ２６とを備えており、ランプ６，７が異常に動作したことによる装置の障害を回避できるようにしている。例えば、ランプ６，７が高温になり、ＣＰＵ２１が熱暴走した場合であっても、ＣＰＵ２６により、ランプ６，７が想定する温度範囲を超えたことを検出できるので、ランプ６，７の点灯を停止でき、発火や発煙等の異常発生を未然に防止することができる。
【００４８】
図８は、本発明の他の実施例にかかる画像読取装置の制御系の構成の一例を示している。なお、同図において、図２と同一部分、および、相当する部分には、同一符号を付している。
【００４９】
同図において、ＣＰＵ（中央処理装置）２１は、例えば、マイクロコンピュータ装置から構成されるものであり、ランプ６，７の点灯を制御するとともに、画像読取装置の全体制御などを行うものである。ＣＰＵ２１は、ランプ６，７を点灯する際には、ランプ制御部２２へランプイネーブル信号を出力する。ランプ制御部２２は、ランプイネーブル信号がイネーブル状態になっているときには、点灯信号をゲート回路２３を介してランプ安定器２４を出力する。ランプ安定器２４は、点灯信号がイネーブル状態になっているときには、スイッチ２５を介して供給される電源（２４（Ｖ））をランプ６，７に供給して、ランプ６，７を点灯駆動する。
【００５０】
ＣＰＵ２６は、例えば、マイクロコンピュータ装置から構成されるものであり、モータ１６、ファン１７を駆動するとともに、スイッチ２５のオンオフ制御を行う。また、ランプ安定器２４の駆動電流を基準値と比較する電流値比較部４０の検出信号に基づいて、スイッチ２５のオンオフ制御を行う。また、モータ駆動部２８は、ＣＰＵ２６からの制御信号に従ってモータ１６を駆動するものであり、ファン制御部２９は、ＣＰＵ２６からの制御信号に従ってファン１７を駆動するものである。
【００５１】
ＣＰＵ２６から出力されるスイッチ２５の制御信号は、スイッチ２５の制御入力端に加えられるとともに、オア回路３０の一方の入力端に加えられ、このオア回路３０の他方の入力端には、スイッチ２５の出力信号が、インバータ３１で反転された状態で加えられている。そして、このオア回路３０の出力は、ゲート回路２３の負論理の制御入力端に加えられている。したがって、スイッチ２５の制御信号がイネーブル状態で、かつ、スイッチ２５がイネーブル動作している状態で、ゲート回路２３がオン動作し、ランプ制御部２２の出力信号を通過させてランプ安定器２４を供給する。
【００５２】
また、リセット回路３２は、一定時間間隔でＣＰＵ２６をリセットするリセット信号を出力するものであり、ＣＰＵ２６に対して、いわゆるウォッチドッグタイマの機能を有する。ＣＰＵ２６は、リセット回路３２のリセット信号の出力周期よりも短い周期で、リセット回路３２のリセット信号の出力動作を停止させており、このＣＰＵ２６の動作が暴走した場合などで、異常になった場合には、リセット回路３２のリセット動作をＣＰＵ２６は停止することができなくなり、その結果、暴走したＣＰＵ２６がリセットされ、暴走したＣＰＵ２６による異常な制御が行われるような事態を回避することができる。
【００５３】
また、ＣＰＵ２１とＣＰＵ２６は、異なる駆動電源Ｖｃｃ１，Ｖｃｃ２がそれぞれ供給されており、駆動電源の異常が原因となってＣＰＵ２１とＣＰＵ２６が同時に異常な状態になるような事態を回避できるようにしている。
【００５４】
図９は、ＣＰＵ２６の処理の他の例を示している。
【００５５】
まず、リセット回路３２によりリセットされると（処理２０１）、リセット回路３２のリセット動作を解除し（処理２０２）、電流値比較部４０の検出信号を入力して（処理２０３）、ランプ安定器２４の駆動電流が正常であるかどうかを調べる（判断２０４）。判断２０４の結果がＹＥＳになるときには、スイッチ２５の制御信号をイネーブル状態に設定し、処理２０３へ戻る。
【００５６】
判断２０４の結果がＮＯになるときには、スイッチ２５の制御信号をディセーブル状態に設定し、ランプ安定器２４に供給する電源をオフし、オンオフ制御信号およびクロック信号の出力を停止する（処理２０５）。
【００５７】
図１０は、本発明のさらに他の実施例にかかる画像読取装置の制御系の構成の一例を示している。なお、同図において、図２と同一部分および相当する部分には、同一符号を付している。
【００５８】
同図において、ＣＰＵ（中央処理装置）２１は、例えば、マイクロコンピュータ装置から構成されるものであり、ランプ６，７の点灯を制御するとともに、画像読取装置の全体制御などを行うものである。ＣＰＵ２１は、ランプ６，７を点灯する際には、ランプ制御部２２へランプイネーブル信号を出力する。ランプ制御部２２は、ランプイネーブル信号がイネーブル状態になっているときには、点灯信号をゲート回路２３を介してランプ安定器２４を出力する。ランプ安定器２４は、点灯信号がイネーブル状態になっているときには、スイッチ２５を介して供給される電源（２４（Ｖ））をランプ６，７に供給して、ランプ６，７を点灯駆動する。
【００５９】
ＣＰＵ２６は、例えば、マイクロコンピュータ装置から構成されるものであり、モータ１６、ファン１７を駆動するとともに、スイッチ２５のオンオフ制御を行う。また、サーミスタ５が検出した温度に基づいた温度検出動作を行う温度検出部２７からの温度検出信号を入力し、その温度検出信号に基づいて、スイッチ２５のオンオフ制御を行う。また、モータ駆動部２８は、ＣＰＵ２６からの制御信号に従ってモータ１６を駆動するものであり、ファン制御部２９は、ＣＰＵ２６からの制御信号に従ってファン１７を駆動するものである。
【００６０】
また、温度比較部４５は、温度検出部２７からの温度検出信号を入力し、その値が所定温度範囲を超えているかどうかを判断するものであり、その検出信号は、オア回路４６の一方の入力端に加えられている。
【００６１】
ＣＰＵ２６から出力されるスイッチ２５の制御信号は、オア回路４６の他方の入力端に加えられている。このオア回路４６の出力信号は、スイッチ２５の制御入力端に加えられるとともに、オア回路３０の一方の入力端に加えられ、このオア回路３０の他方の入力端には、スイッチ２５の出力信号が、インバータ３１で反転された状態で加えられている。そして、このオア回路３０の出力は、ゲート回路２３の負論理の制御入力端に加えられている。
【００６２】
したがって、スイッチ２５の制御信号がイネーブル状態、あるいは、温度比較部４５の検出信号がイネーブル状態で、かつ、スイッチ２５がイネーブル動作している状態で、ゲート回路２３がオン動作し、ランプ制御部２２の出力信号を通過させてランプ安定器２４を供給する。
【００６３】
また、リセット回路３２は、一定時間間隔でＣＰＵ２６をリセットするリセット信号を出力するものであり、ＣＰＵ２６に対して、いわゆるウォッチドッグタイマの機能を有する。ＣＰＵ２６は、リセット回路３２のリセット信号の出力周期よりも短い周期で、リセット回路３２のリセット信号の出力動作を停止させており、このＣＰＵ２６の動作が暴走した場合などで、異常になった場合には、リセット回路３２のリセット動作をＣＰＵ２６は停止することができなくなり、その結果、暴走したＣＰＵ２６がリセットされ、暴走したＣＰＵ２６による異常な制御が行われるような事態を回避することができる。
【００６４】
また、ＣＰＵ２１とＣＰＵ２６は、異なる駆動電源Ｖｃｃ１，Ｖｃｃ２がそれぞれ供給されており、駆動電源のノイズが原因となってＣＰＵ２１とＣＰＵ２６が同時に異常な状態になるような事態を回避できるようにしている。
【００６５】
図１１は、図１０に示した温度検出部２７、温度比較部４０、および、スイッチ２５の一例を示している。なお、同図において、図３と同一部分および相当する部分には、同一符号を付している。
【００６６】
温度検出部２７は、サーミスタ５、抵抗器およびコンデンサを用いて、温度検出信号Ｓ１１（図１２（ａ）参照）を形成するものである。
【００６７】
ＣＰＵ２６は、温度検出信号Ｓ１１の値がスレッシュ値よりも大きい場合、信号Ｓ１５（図６（ｅ）参照）を正常点灯状態（オン状態）に設定し、温度検出信号Ｓ１１の値がスレッシュ値よりも大きい場合、信号Ｓ１５を異常点灯状態（オフ状態）に設定する。この信号Ｓ３は、ナンド回路４８の一方の入力端に加えられている。
【００６８】
また、温度比較部４０は、コンパレータ５０、フリップフロップ５１、および、タイマ回路５２から構成されており、タイマ回路５２から出力されるクロック信号Ｓ１２（図１２（ｂ）参照）は、フリップフロップ５１のクロック入力端に供給されている。また、コンパレータ５０は、信号Ｓ１１が所定値よりも小さい状態では、その出力が論理Ｈレベルになり、信号Ｓ１１が所定値よりも大きい状態では、その出力が論理Ｌレベルになる。このコンパレータ５０の出力は、フリップフロップ５１のデータ入力端に加えられている。
【００６９】
したがって、信号Ｓ１１が所定値よりも大きい状態では、フリップフロップ５１の出力は論理Ｈレベルとなり、信号Ｓ１１が所定値よりも小さい状態では、フリップフロップ５１の出力が論理Ｌレベルとなる。また、フリップフロップ５１の出力信号Ｓ１４（図１２（ｄ）参照）は、ナンド回路４８の他方の入力端に加えられている。
【００７０】
したがって、ナンド回路４８の出力は、信号Ｓ１４および信号Ｓ１５が論理Ｈレベルになっている状態で論理Ｈレベルとなり、それ以外の場合には、論理Ｌレベルになる。このナンド回路４８の出力は、スイッチ２５の入力信号Ｓ１６として、スイッチ２５に加えられている。
【００７１】
スイッチ２５では、信号Ｓ１６がオフ状態になっている場合には、ランプ安定器２４へ供給する電源電圧Ｓ１７（図１２（ｇ）参照）を０（Ｖ）に設定し、信号Ｓ１６がオン状態になっている場合には、ランプ安定器２４へ供給する電源電圧Ｓ１７を２４（Ｖ）に設定する。
【００７２】
また、スイッチ２５の入力信号Ｓ１６は、オア回路３５を介して、ゲート回路３６，３７の負論理の制御入力端に加えられている。
【００７３】
ＣＰＵ２１は、タイミング生成部３８を制御して、ランプ安定器２４の制御端子へ供給するオンオフ制御信号およびクロック信号を生成しており、生成されたオンオフ制御信号は、ゲート回路３６を介してランプ安定器２４の制御端子へ供給され、また、生成されたクロック信号はゲート回路３７を介してランプ安定器２４の制御端子へ供給される。
【００７４】
ここで、オア回路３５の他方の入力端には、ランプ安定器２４を供給される電源の分圧信号が加えられており、電源が供給されている場合に、論理Ｈ状態となる。
【００７５】
したがって、信号Ｓ１８は、ランプ安定器２４へ供給される電源がオン状態になっており、かつ、信号Ｓ１６がイネーブル状態になっている場合に、イネーブル状態となる。信号Ｓ１８がイネーブル状態になっている期間では、ゲート回路３６，３７がオン動作し、ランプ安定器２４の制御端子にオンオフ制御信号およびクロック信号は、ランプ安定器２４の制御端子へ供給される。
【００７６】
このようにして、本実施例では、ＣＰＵ２１，２６に加えて、温度比較部４０を設けているので、ランプ６，７の異常点灯を確実に防止することができる。
【図面の簡単な説明】
【００７７】
【図１】本発明の一実施例にかかる画像読取装置の概略構成例を示した概略図。
【図２】本発明の一実施例にかかる画像読取装置の制御系の構成の一例を示したブロック図。
【図３】温度検出部２７、温度比較部、および、スイッチ２５の構成の具体例を示した回路図。
【図４】サーミスタの温度−抵抗値特性の一例を示したグラフ図。
【図５】温度検出の方法の一例を示したグラフ図。
【図６】動作の一例を説明するためのタイミング図。
【図７】ＣＰＵ２６の処理の一例を示したフローチャート。
【図８】本発明の他の実施例にかかる画像読取装置の制御系の構成の一例を示したブロック図。
【図９】ＣＰＵ２６の処理の他の例を示したフローチャート。
【図１０】本発明のさらに他の実施例にかかる画像読取装置の制御系の構成の一例を示したブロック図。
【図１１】図１０に示した温度検出部２７、温度比較部４０、および、スイッチ２５の一例を示した回路図。
【図１２】動作の他の例を説明するためのタイミング図。
【符号の説明】
【００７８】
５  サーミスタ
６，７  ランプ
２１，２６  ＣＰＵ（中央処理装置）
２２  ランプ制御部
２４  ランプ安定器
２５  スイッチ
２７  温度検出部
３２  リセット回路
４０  電流比較部
４５  温度比較部
【図１】
2007104207.tif 000003
【図２】
2007104207.tif 000004
【図３】
2007104207.tif 000005
【図４】
2007104207.tif 000006
【図５】
2007104207.tif 000007
【図６】
2007104207.tif 000008
【図７】
2007104207.tif 000009
【図８】
2007104207.tif 000010
【図９】
2007104207.tif 000011
【図１０】
2007104207.tif 000012
【図１１】
2007104207.tif 000013
【図１２】
2007104207.tif 000014